(57)【要約】      （修正有）【課題】外した眼鏡をかけておく機能を持った首飾りであり、組ひもの技術で製作でき、長さの調節が容易であり、装飾性に優れた眼鏡ストラップを提供する。【解決手段】組ひもの中間部にもうけた飾り紐の下側穴にたたんだ眼鏡の一方のツルを根元まで通して、眼鏡を吊り下げる。左右の組ひもにはそれぞれ小田巻１、２が通してある。組ひもの先端は、それぞれ、反対側の小田巻（３について２、４について１）に固定してあるので、小田巻１、２を移動させる事によって、全体の長さを調節できる。【選択図】図１
0003165795.tif 000002
【実用新案登録請求の範囲】
【請求項１】
本考案は、伝統的手工芸である組ひもの技術の一部である飾り結びと小田巻の応用であって、眼鏡の吊下げと長さ調節について、製造上の簡便さと実用上の利便性及び快適性、装飾性を向上した眼鏡を吊る機能を持った首飾り。
【考案の詳細な説明】
【技術分野】
【０００１】  本考案は、眼鏡吊り下げ機能を持った首飾りに関するものである。
【背景技術】
【０００２】  従来、外した眼鏡の紛失を防ぎ掛け直しを容易にするため、眼鏡チェーン、眼鏡ホルダーと称する吊り具がある。【０００３】  従来品は眼鏡の左右ツル部に一本のひもの両端を取り付け、そのひもを首に掛けるものや、環状のひもなどに樹脂や金属などの環を取り付け、その環に眼鏡のツルの一方を通し眼鏡を吊り下げるものなどがある。
【考案の概要】
【考案が解決しようとする課題】
【０００４】  ツル部にひもを取り付けたものでは、眼鏡を掛けたときにひもの一部が視界を妨げ、吊り下げた状態では眼鏡が身体から遊離して不安定である。【０００５】  環状のひもなどに樹脂や金属などの環を取り付けた従来品では、この環部分が樹脂や金属などで出来ているため、眼鏡のツルに傷をつけるおそれがあり、また、転倒時などにおいて人体に対して損傷を与える危険性もある。また、材質の加工、成形において、特別の設備や加工機械などを要する。【０００６】  また、長さ調節機構を持ったものが少なく、調節可能であっても使用中に鏡などを見ることなく容易に調節できるものは無かった。
【課題を解決するための手段】
【０００７】  本考案は、伝統的手工芸である組ひもの技術の一部である飾り結びと小田巻の応用であって、眼鏡の吊下げと長さ調節について、製造上の簡便さと実用上の利便性及び快適性、装飾性を向上した眼鏡を吊る機能を持った首飾りである。
【考案の効果】
【０００８】  本考案は眼鏡の吊り下げ方法においては、環状のひもなどに樹脂や金属などの環を取り付けた従来品と類似であるが、この環部分を伝統的手工芸である飾り結びの技法を用いるため、環部分がひものみで構成され、柔軟であって、樹脂や金属などのように眼鏡のツルに傷をつけるおそれが無く、また、転倒時などにおいて人体に対して損傷を与えるおそれが少ない。また、加工、成形において、特別の設備や加工機械などを要しない。単に環としての機能を得るには、日常使用される一般的結び方にて用をなすのであるが、飾り結びは複雑であるので、重量があるため眼鏡を取り外したときも安定しており、装飾性に優れ、また、型崩れをおこしにくい特徴がある。【０００９】  組ひもはもっぱら装飾的な意図で使われる事が多いが、江戸打ちひも、唐打ちひも等の機械編みの打ちひもに比べて腰が強く、伸張しようする力に対して断面形状が変化しにくい。【００１０】  小田巻は、羽織ひもなどで長さの調節に用いられる事があるが、羽織ひもは水平方向でありかつ空中にある。本考案ではひもの方向が垂直であり、小田巻が衣服や身体と接触し抵抗となる事で眼鏡の重量によって眼鏡の位置が下がるのを防ぐ効果があり、長さの調節時には、鏡などで確認しなくとも指先の感触でその位置が明瞭に分かり、又、手がかりとなって調節が容易である。【００１１】  飾り結びは古来より身装品や飾り物に使われてきた技術であり、その呼称の示すとおり、もっぱら、装飾的用途に用いられてきたものであり、小田巻、組ひもについても、もっぱら、それらの装飾的効果によって用いられている。本考案は、その機能的側面に着目し、適宜組み合わせることで、製作、加工が容易であり、実用性と装飾性に優れている。
【図面の簡単な説明】
【図１】  本考案の全体図
【図２】  長さ調節部分（小田巻）の断面図
【図３】  眼鏡吊り下げ部分（飾り結び）の正面図
【図４】  眼鏡吊り下げ部分（飾り結び）の背面図
【考案を実施するための形態】
【００１２】  小田巻は木製の球などに糸を巻いたものであるが、本考案では木製ビーズに糸を巻いたものを使う。
【００１３】  中央に飾り結びを作ったひもの左右に通したそれぞれの小田巻にもう一方の先端が固定されているため、小田巻を上下する事によって、長さの調節が出来る。左右の小田巻はそれぞれ、両手が自然に届く位置にあり、容易に眼鏡の吊り位置を体型に合わせて調節できる。眼鏡を取り外したときは首飾りとなるが、服装に合わせて飾り結びの位置を調節できる。
【実施例】
【００１４】  以下、添付図面に従って説明する。組ひもＡ（３）は小田巻Ａ（１）を貫通して先端部分を小田巻Ｂ（２）に接着してある。組ひもＢ（４）は小田巻Ｂ（２）を貫通して先端部分を小田巻Ａ（１）に接着してある。小田巻Ａ（１）と小田巻Ｂ（２）を動かす事によって、ひもの長さを調節する。通常の使用においては、小田巻Ａ（１）と小田巻（２）はそれぞれ首の左右の位置にある。【００１５】  小田巻内部の木製ビーズ（５）の内径は組ひもＡ、Ｂの直径を合わせたものより少し小さくなっており、組ひもは扁平に変形して木製ビーズ（５）内を通過する。組ひもの表面の凹凸が互いに嵌合しあうので、それが適度の抵抗となり、首の後ろ側では全体の重量によって組ひも同士が同様に抵抗となり、また、組ひも全体と小田巻が身体や衣服に触れて抵抗となるので、使用中に意図せず長さが変ってしまう事が少ない。【００１６】  眼鏡吊り部の飾り結びは几帳結びと称するもので、ほどける事がなく形も崩れにくいとされるが、耐久性を向上させるため、中心部を裏側より少量の接着剤によって接着固定（７）し、また、金属環（６）を糸により縫いとめる。この金属環（６）には携帯電話のストラップなどを吊り下げる事もできる。
【符号の説明】
【００１７】１．小田巻Ａ
２．小田巻Ｂ
３．組ひもＡ
４．組ひもＢ
５．木製ビーズ
６．金属環
７．接着箇所
【図１】
0003165795.tif 000003
【図２】
0003165795.tif 000004
【図３】
0003165795.tif 000005
【図４】
0003165795.tif 000006
【手続補正書】
【提出日】平成22年4月14日(2010.4.14)
【手続補正１】
【補正対象書類名】実用新案登録請求の範囲
【補正対象項目名】請求項１
【補正方法】変更
【補正の内容】
【請求項１】
本考案は、伝統的手工芸である組ひもの技術の一部である飾り結びと小田巻の応用であって、眼鏡の吊下げと長さ調節について、製造上の簡便さと実用上の利便性及び快適性、装飾性を向上した眼鏡を吊る機能を持った首飾り。具体的には、組ひも等を用い、中央部の飾り結びに眼鏡のツルをかけ、左右二箇所の小田巻によって長さが調節可能な首から提げる眼鏡ストラップ。
【手続補正書】
【提出日】平成22年8月12日(2010.8.12)
【手続補正２】
【補正対象書類名】実用新案登録請求の範囲
【補正対象項目名】全文
【補正方法】変更
【補正の内容】
【実用新案登録請求の範囲】
【請求項１】
組みひもの中央部に眼鏡のツルをかけられる飾り結びを設け、左右二箇所の小田巻を設けて長さ調節可能とした、首から提げる眼鏡ストラップ。